(57)【要約】      （修正有）【課題】幼児、高齢者、手の不自由な人でも、スプーンを用いて食品を掬い取りやすい木製食器を提供する。【解決手段】木製食器１００は、食品を収容する略平らな食物載置部３と、円形状の食物載置部３の外周から上方に向かって立ち上がる側面部と、食物載置部３の上から上方に向かって立ち上がり且つ食物載置部３の中央を起点として外側端に向かって三方向にカーブを描くように設けられた畝部１と、を備える。【選択図】図１
0003232216.tif 000002
【実用新案登録請求の範囲】
【請求項１】
食品を収容する略平らな食物載置部と、
前記円形状の食物載置部の外周から上方に向かって立ち上がる側面部と、
前記食物載置部の上から上方に向かって立ち上がり且つ前記食物載置部の中央を起点として外側端に向かって三方向にカーブを描くように設けられた畝部と、を備えたことを特徴とする竹製食器。
【請求項２】
前記畝部は、内側に向かうカーブと、外側に向かうカーブを、それぞれ少なくとも１つ以上有することを特徴とする請求項１に記載の竹製食器。
【請求項３】
前記畝部は、内側に３つの異なるアールのカーブを有し、前記カーブのうち、最大アールのカーブのＲ値は、最小アールのカーブのＲ値の４倍以上６倍未満のＲ値であることを特徴とする請求項１に記載の竹製食器。
【考案の詳細な説明】
【技術分野】
【０００１】
本考案は、内側にカーブした仕切りである畝部を設け、食材を掬いとりやすく幼児が飽きずに食事することができ且つ耐久性が高い竹製食器及び竹製食器の作成方法に関する。
【背景技術】
【０００２】
木材を切り出して成形される竹製食器は、軽くて扱いやすいこと、竹素材は抗菌性能を有していて衛生的であることから、乳幼児向けの食器に広く使用されている。
【０００３】
乳幼児用の竹製食器は、皿の上面に、土手状の仕切りを設けたプレート型食器が広く流通している。土手状の仕切りで区切ることによって、少量ずつ、たくさんの種類の料理を盛り付け、栄養バランスの良い食事を提供することができる。しかしながら、プレート型の食器は、スプーン等のカトラリを使い慣れない幼児にとって、スプーンで掬い取る際に、食物がスプーンからこぼれてしまいやすいので、扱いにくいものであった。また、幼児は、すぐに飽きてしまうので、食事の際は、幼児の興味を惹き、飽きずに最後まで食べられるような工夫も必要である。
【０００４】
特許文献１は、開口部のある蓋が設けられた幼児用食器であり、スプーンで食物を掬って、開口部を通してスプーンを出すと、食べやすい量がスプーンに載り、幼児が一人で、スプーンを使って上手に食事ができるように工夫されている。
【先行技術文献】
【特許文献】
【０００５】
【特許文献１】特開２００４−２５５０８５号公報
【考案の概要】
【考案が解決しようとする課題】
【０００６】
特許文献１の幼児用食器は、スプーンで一定量の食物を掬いとることができる便利さがある一方、容器に入れる食物は一種類であり、飽きっぽい幼児は、食事の途中で飽きて中断してしまうことが多い。また、深みのある食器で蓋がある形状のものは、中に入っている料理が良く見えないため、幼児が食事に興味を持ちにくい。
【０００７】
本考案では、複数種類を載せて、料理が見栄え良く見えて且つスプーンで掬いとりやすいプレート型食器を提供する。
【課題を解決するための手段】
【０００８】
本考案の竹製食器は、食品を収容する略平らな食物載置部と、前記円形状の食物載置部の外周から上方に向かって立ち上がる側面部と、前記食物載置部の上から上方に向かって立ち上がり且つ前記食物載置部の中央を起点として外側端に向かって三方向にカーブを描くように設けられた畝部と、を備えたことを特徴とする。
【０００９】
この考案によれば、食品を収容する略平らな食物載置部と、前記円形状の食物載置部の外周から上方に向かって立ち上がる側面部と、前記食物載置部の上から上方に向かって立ち上がり且つ前記食物載置部の中央を起点として外側端に向かって三方向にカーブを描くように設けられた畝部を備えているので、畝部に沿ってスプーンを摺動させると、食材を掬いとりやすい。畝部の形状は曲線を組み合わせた目新しいデザインであり、幼児が飽きずに食事することができる。
【００１０】
また、本考案の竹製食器の畝部は、内側に向かうカーブと、外側に向かうカーブを、それぞれ少なくとも１つ以上有することを特徴とする。
【００１１】
この考案によれば、木製食器の畝部は、内側に向かうカーブと、外側に向かうカーブを、それぞれ少なくとも１つ以上有しているので、畝部に沿ってスプーンを摺動させると、食材を掬いとりやすい。畝部の形状は曲線を組み合わせた目新しいデザインであり、幼児が飽きずに食事することができる。
【００１２】
また、本考案の竹製食器の畝部は、内側に３つの異なるアールのカーブを有し、前記カーブのうち、最大アールのカーブのＲ値は、最小アールのカーブのＲ値の４倍以上６倍未満のＲ値であることを特徴とする。
【００１３】
この考案によれば、畝部に沿ってスプーンを摺動させると、食材を掬いとりやすい。畝部の形状は曲線を組み合わせた目新しいデザインであり、幼児が飽きずに食事することができる。
【図面の簡単な説明】
【００１４】
【図１】本考案の実施の形態１の竹製食器１００を示す斜視図である。
【図２】本考案の実施の形態１の竹製食器１００を示す底平面図である。
【図３】図２に示した竹製食器１００のA部拡大図である。
【図４】本考案の実施の形態１の竹製食器１００を示す底面図である。
【図５】図２に示した竹製食器１００のＢ−Ｂ断面図である。
【図６】本考案の実施の形態１の竹製食器１００を示す正面図である。
【図７】本考案の実施の形態１の竹製食器１００を積み重ねる方法を説明するための参考断面図である。
【図８】本考案の実施の形態１の竹製食器１００を積み重ねる方法を説明するための参考断面図である。
【図９】本考案の実施の形態１の竹製食器１００を積み重ねる方法を説明するための参考断面図である。
【図１０】本考案の実施の形態１の竹製食器１００の使用方法を示す参考図である。
【図１１】本考案の変形例１の竹製食器２００を示す斜視図である。
【図１２】本考案の変形例２の竹製食器３００を示す斜視図である。
【考案を実施するための形態】
【００１５】
以下、考案を実施するための最良の形態について、添付図面を参照して説明する。
【００１６】
（実施の形態１）
図１に示すように、竹製食器１００は、食品を載置する略平らな食物載置部３と、前記円形状の食物載置部３の外周から上方に向かって立ち上がる側面部４と、前記側面部４の上に設けられ床面に対して平行な平面を上側に有するリム部２と、前記食物載置部３の上であり且つ前記側面部４の内側に設けられ、前記食物載置部３の中央を起点として外側端に向かって三方向にカーブを描くように設けられた土手状の畝部１と、を主に有する。食物載置部３、畝部１、リム部２、側面部４、底面５は一体として、竹材ブロックから削り出されたものである。当該竹材ブロックは、竹材を長辺方向に割いて四角柱形状にした角柱を水平に並べて平板形状にし、この平板を竹の導管方向が互いに直交するように重ねて、圧着接着してブロック形状としたものを用いる。竹の導管方向が互い違いになるように平板を重ね合わせることで、竹材ブロックが縦方向の負荷にも横方向の負荷にも強くなり、耐久性を高めることができる。
【００１７】
また、竹製食器１００は、竹材ブロックから削り出し成形した後、食器表面にウレタン塗膜を塗布して乾燥させる工程を少なくとも３回以上繰り返す。本発明の竹製食器は、竹材ブロックから削り出す際、刃の形状を工夫して、竹の節の部分を含めて削り出すようにする。乾燥工程のあと、食器表面を研磨する工程も複数回行う。研磨工程では、最初は目の粗いサンドペーパーで研磨し、徐々に細かい目のサンドペーパーに変えて複数回の研磨を行う。ウレタン塗膜層を塗布して乾燥させる毎に、研磨工程を挟んでも良いし、ウレタン塗膜層を塗布し乾燥させる工程を複数回繰り返した後に、研磨工程を挟んでも良い。ウレタン塗膜を塗布して乾燥させる工程と、研磨工程とを複数回繰り返すことで、ウレタン塗料を竹素材の奥深くまで浸透させ、耐久性の高い竹製食器１００とすることができる。さらに、竹の節の部分は硬くて堅牢であり素材単価も安い反面、竹の導管断面が表面に表出しており多孔性であるためカビが生えやすかったり、導管部分から亀裂が入ったりしやすいが、この竹製食器１００は、複数回のウレタン塗布工程と乾燥工程、複数回の研磨工程を経ているので、竹の導管部分にも奥までウレタン塗料が浸透して食器表面はウレタン塗膜で保護されているので、カビが生えにくく亀裂も入りにくい堅牢な竹製食器１００とすることができる。
【００１８】
図２に示すように、平面視、竹製食器１００は畝部１によって、３つの食物載置区画３に仕切られている。畝部１は、中央から外側に向かって三方向に曲線を描くように設けられている。畝部１は、内側に向かうカーブと、外側に向かうカーブを、それぞれ少なくとも１つ以上有する。食物載置区画３は、第一カーブ３１、第二カーブ３２及び第三カーブ３３の３つのカーブを有している。第一カーブ３１は3つのカーブのうち一番傾斜が急なカーブであって竹製食器１００の外端近傍に設けられている。第二カーブ３２は中央近傍に設けられたカーブであって第一カーブよりも緩いカーブとなっている。第三カーブ３３は、竹製食器１００の外端近傍であって隣接する食物載置区画３の第一カーブ３１に隣接する場所に設けられている。第三カーブは、第二カーブより更に緩いカーブであり、アールも小さく、曲線のような緩いカーブである。畝部１が上面視、曲線形状にカーブしていることによって、竹材の反りが防止され強度が増す。
【００１９】
第一カーブ３１は、幼児用スプーンの先端のカーブに沿った形状となっている。図３に示すように、第一カーブ３１は、竹製食器１００の外端に設けられたカーブであり、３つのカーブの中で一番急なカーブであって食物載置部３の幅も狭くなっている。従って、竹製食器１００に載置された食物をスプーンの上に載せて、そのままスプーンを畝部１に沿って第一カーブ３１近傍まで摺動させると、ちょうどよい分量の食物がスプーンの上に載った状態となる。第一カーブ３１のアール（図３中のＲ）は、食物載置部３の底面と畝部１との境界線が描くアールであって、第一カーブ３１のアール寸法は、幼児用スプーンの先端のアール寸法と略同じである。従って、スプーンの上に食物が載った状態で、スプーンを第一カーブ３１部分近傍まで摺動させ、畝部１の内壁にスプーンの先端が達したら、畝部１の内壁に沿ってスプーンを上に持ち上げると、一口分の食物をスプーンで上手に掬いとることができる。
【００２０】
実施の形態１の竹製食器１００では、畝部１の幅は、２ミリメートル以上２０ミリメートル以下となっている。望ましくは３ミリメートル以上６ミリメートル以下が良い。畝部１の幅は、太すぎると木製食器１００の重量が大きくなり幼児が手で支えるのに適さない。細すぎると耐久性が弱くなり、また、削り出しの際に畝部１が破損しやすい。竹製食器１００は、削り出し成形で作成するが、畝部１の形状が曲線のみで形成されているため、スプーンで掬い上げる際に、スプーンが途中で引っかかったり、スプーンに食物を載せて摺動させる過程で食物がこぼれてしまったりすることが少なく、自然な動きで簡単に食物を掬いとることができる。
【００２１】
図４に示すように、竹製食器１００は底面５に高台５１が設けられている。高台５１が設けられていることによって、竹製食器１００をテーブル等の水平面に置いたとき、底面５全面が密着せず、適度な空間を形成するので、湿気を逃がし、竹製食器１００の底面を乾燥させ、カビを防ぎ、耐久性を高めることができる。
【００２２】
図５及び図６に示すように、竹製食器１００は、断面視、側面部４の内側は、なだらかなカーブを形成しており、外側には、外側段差部４１が設けられている。外側段差部４１は、丸みを帯びた角であり食器の外周に沿って設けられた段差である。竹製食器１００は平面視、円形状のプレートであって、前記側面部４は、中央近傍に外周に沿って段差が設けられており外側段差部４１となっている。外側段差部４１の突出部が形成する円の直径（図５のｅ）は、前記側面部４の上側の端縁のうち中心部に近い端縁４２によって形成される円の直径（図５のｄ）よりも大きく、外側段差部４１と側面部４との境界部４３が形成する円の直径（図５のｃ）は、前記側面部４１の上側の端縁のうち中心部に近い端縁４２によって形成される円の直径寸法（図５のｄ寸法）よりも小さくなっている。
【００２３】
従って、竹製食器１００を複数枚上に重ねたときに、外側段差部４１より下の部分は、下に重ねた竹製食器の中に納まり、かつ、外側段差部４１より上の部分は、下に重ねた竹製食器１００の側面部４の上に載る。図７及び図８に示すように、竹製食器１００を複数枚重ねたとき、上の竹製食器１００が下の竹製食器１００の中に嵌りこまず、適度な空間を保って綺麗に積み重ねることができる。木製食器１００は、幼児でも、簡単に食器を重ねていくことができる。
【００２４】
また、竹製食器１００の側面部４の外側段差部４１から底面までの高さは、竹製食器１００の側面部４の高さの半分以下の高さであるので、竹製食器１００を上下に重ねた際に、竹製食器１００の底面５が、下に重ねた竹製食器１００の食物載置部３に接することがなく、内側に適度な空間を形成する。食物載置部３が隣接する竹製食器１００の外側に触れず、衛生的に竹製食器１００を複数重ねることができ、収納や運搬に便利である。下側の竹製食器１００の内側底面に残存した食物が上側の竹製食器１００の裏面に付着することがないため、食事のあと、竹製食器１００を重ねて運搬しても竹製食器１００の汚れを最小限にできる。また、竹製食器１００を使用前に収納する際、これから食物を入れる食器内側底面に、上側に重ねた竹製食器１００の裏面の汚れや雑菌が付着しないので、使用前の竹製食器１００を清潔に保管することができる。
【００２５】
図９に示すように、竹製食器１００は、畝部１が曲線形状に設けられているので、食事が終わって、複数枚の竹製食器１００を重ねるときに、視覚的に、重ね合わせやすい。幼児でも、畝部１の曲線形状を見て、方向をあわせることにより、上手に上下に重ねて積んでいくことができる。パズルを嵌める感覚で、竹製食器１００を重ねて片付け作業ができるので、幼児でも楽しく簡単に片づけ作業を行うことができる。
【００２６】
図１０に示すように、竹製食器１００は、畝部１によって区画された３つの食物載置区画を有し、それぞれの区画にカーブの形状の違う第一カーブ３１、第二カーブ３２、第三カーブ３３と３つのカーブがあるため、食物の大きさやスプーンの大きさによって、どのカーブの方向にスプーンを摺動させれば上手に食物を掬い取れるか考えながら食事をすることができ、幼児でも飽きることなく楽しく食事を行うことができる。大きな塊は緩いカーブの第三カーブ３３の方向にスプーンを摺動させて掬いとる、水分が多いものや細かい食物は急なカーブの第一カーブ３１の方向にスプーンを摺動させて掬いとる、大きなスプーンで食事する場合や、こぼれやすい食物は中央近傍にある第二カーブ３２の方向にスプーンを摺動させて掬いとるというふうに、考えながら食事することで幼児の食事に対する意欲を増進させることができる。
【００２７】
実施例１の竹製食器１００は、直径２３センチメートルの円形状の食器であり、第一カーブ３１は最もＲ値の小さいカーブであり、第三カーブ３３は最もＲ値の大きなカーブである。第一カーブ３１、第二カーブ３２、第三カーブ３３は、それぞれ、食物載置部３の底面と畝部１との境界部分の曲線が描くアールである。第二カーブ３２のＲ値は、第一カーブ３１のＲ値より大きく第三カーブ３３のＲ値より小さい実施例１の竹製食器１００においては、第一カーブ３１のＲ値は約３ミリメートルであり、第二カーブ３２のＲ値は約７．５ミリメートルとなっている。第二カーブ３２のＲ値は、第一カーブ３１のＲ値の４倍以上６倍以下とするのが望ましい。第三カーブ３３は、第一カーブ３１と隣接しているので、食器本体の直径と第一カーブ３１のＲ値により変動する。
【００２８】
本考案の竹製食器１００は、本体表面の濃淡にあわせたレーザー出力で均一なレーザー刻印を行う。竹材などの自然素材は各部位の含水率や硬度・色が微妙に違うため均一に刻印して正確に表現することが困難であるが、本考案では、本体表面の濃淡にあわせたレーザー出力でレーザー刻印を行う。竹素材の色味の濃い部分はレーザー出力を高くして、しっかり刻印をつけ、竹素材の色の薄い部分ではレーザー出力を抑えて刻印することで、竹製食器１００の刻印の色を均一な色味に仕上げる。
【００２９】
（変形例１）
本考案の変形例１の竹製食器２００は、カーブする畝部１によって、２つの食物載置区画を設けた竹製食器２００である。変形例１の竹製食器２００は、食物載置区画が２つであり、Ｒ値の異なるカーブを２つ有し、それぞれ、第一カーブ３１と第三カーブ３３となっている。第一カーブ３１と第三カーブ３３は竹製食器の外端近傍に隣接して設けられ、第三カーブ３３のＲ値は、第一カーブ３１のＲ値の１０倍以上となっている。
【００３０】
（変形例２）
本考案の変形例１の竹製食器２００は、カーブする畝部１によって、４つの食物載置区画を設けた竹製食器２００である。変形例２の竹製食器３００は、食物載置区画が４つであること以外は、実施例１の竹製食器１００と略同じ構成である。変形例１の竹製食器２００は、食物載置区画が４つであり、Ｒ値の異なるカーブを３つ有し、それぞれ、第一カーブ３１、第二カーブ３２及びと第三カーブ３３となっている。第一カーブ３１と第三カーブ３３は竹製食器の外端近傍に隣接して設けられ、第三カーブ３３のＲ値は、第一カーブ３１のＲ値より大きくなってる。
【符号の説明】
【００３１】
１００  竹製食器
１  畝部
１１  畝部中央
１２  畝部内壁
１３  畝部外端
２  リム部
３  食物載置部
３１  第一カーブ
３２  第二カーブ
３３  第三カーブ
４  側面部
４１  外側段差部
４２  端縁
４３  境界部
５  底面
５１  高台
Ｓ  スプーン  
Ｈ  手  
【図１】
0003232216.tif 000003
【図２】
0003232216.tif 000004
【図３】
0003232216.tif 000005
【図４】
0003232216.tif 000006
【図５】
0003232216.tif 000007
【図６】
0003232216.tif 000008
【図７】
0003232216.tif 000009
【図８】
0003232216.tif 000010
【図９】
0003232216.tif 000011
【図１０】
0003232216.tif 000012
【図１１】
0003232216.tif 000013
【図１２】
0003232216.tif 000014